(57)【特許請求の範囲】
【請求項１】
タンクの内部に吊り下げられるステージに、上下方向に開閉する受台部と、該受台部に対して摺接するスライド部とを備えたスライド足場装置であって、前記受台部に対して摺接するスライド部の接触部分を面接触にし、且つ接触部分にテフロンシートを備えたことを特徴とするスライド足場装置。
【請求項２】
ステージのフレームに形成された突出部と、スライド部の先端に設けられた突出板とを、ステージに面した側で締結し得るよう構成した請求項１に記載のスライド足場装置。
【発明の詳細な説明】
【０００１】
【発明の属する技術分野】
本発明は、ＬＰＧ、ＬＮＧ等を貯蔵する低温タンク内に設けられるスライド足場装置に関するものである。
【０００２】
【従来の技術】
ＬＰＧ、ＬＮＧ等を貯蔵する低温タンクには、タンク屋根の周囲を内部より施工及び点検するようスライド足場装置を備えている。
【０００３】
スライド足場装置は、図７〜図１０に示す如く、タンク側壁の周方向に沿うよう環状で且つタンク屋根１から吊り下げられるステージ２を備えており、ステージ２はフレーム３を組み合わせて構成され、ステージ２の上下位置には複数の歩廊４を形成している。
【０００４】
ステージ２の側面には、歩廊４よりタンク側壁に向かってせり出し得るよう開閉可能な足場５を周方向に複数備えており、足場５は、ステージ２に対して上下方向へ開閉する受台部６と、受台部６に対して前後進するスライド部７とから構成されている。
【０００５】
足場５を構成する受台部６は、ステージ２のフレーム３に軸支される金属製の外枠８を備えており、外枠８の上面にはエキスパンドメタル等の踏板９を設け、外枠８の両側位置には、上方に延在する平板の掛止部１０と、ステージ２側より牽引可能なチェーン１１を備えるチェーン取付部１２とを夫々備えている。
【０００６】
受台部６の前方には、足場５を構成するスライド部７が上方から覆い被さるよう配置されており、スライド部７は、受台部６の外枠８の両側に上方より線接触してスライド可能な金属製の外枠１３を備えており、外枠１３の上面にはエキスパンドメタル等の踏板１４を設け、外枠８の受台部側の端部には、受台部６の掛止部１０に掛止して前方へのスライドを制限する平板の凸部１５を備え、外枠８の反受台部側の端部には、受台部６の外枠１３の先端面１６に掛止して後方へのスライドを制限する平板の突出板１７を備えている。
【０００７】
一方、スライド足場装置のステージ２とタンク側壁の間には、タンク側壁の保冷材やメンブレンを施工及び点検し得るよう、タンク側壁に沿って周方向及び上下方向に移動するゴンドラ（いずれも図示せず）を備えている。
【０００８】
タンク屋根１の周囲を内部より施工及び点検する際には、ゴンドラを邪魔にならないよう移動させた後、ステージ２に対し閉じている受台部６をチェーン１１を操作することにより下方に開いて水平にし、更に受台部６に対してスライド部７を、スライド部７の凸部１５が受台部６の掛止部１０に掛止するまで、人力によりタンク側壁方向へ前進させて足場５を形成し、タンク屋根１の周囲を内部より施工及び点検する。
【０００９】
又、ゴンドラを周方向に移動させるために足場５をステージ２に収納する際には、受台部６に対してスライド部７を、スライド部７の突出板１７が受台部６の先端面１６に掛止するまでステージ２方向へ人力により後退させ、次に、チェーン１１を操作することにより水平に位置している受台部６を上方へ閉じてステージ２に対し垂直に収納する。
【００１０】
ここで、受台部６をステージ２に収納する際には、受台部６の外枠８に設けられた孔（図示せず）と、ステージ２のフレーム３に設けられた孔（図示せず）とに対し、ステージ２の歩廊４より受台部６の裏面に手をまわしてピン（図示せず）を差し込み、受台部６をステージ２に固定する。
【００１１】
【発明が解決しようとする課題】
しかしながら、従来のスライド足場装置では、受台部６に対してスライド部７をスライドさせる際にスライド部７が線接触して摺動するのにもかかわらず、金属製の材質により摩擦力が大きく容易にスライドさせることができないという問題があった。又、スライド部７は、受台部６に対して線接触するため安定性に欠けるという問題もあった。
【００１２】
本発明は上述の実情に鑑みてなしたもので、スライド部を容易にスライドさせると共に、スライド部の安定性を高め得るスライド足場装置を提供することを目的としている。
【００１３】
【課題を解決するための手段】
本発明のスライド足場装置は、タンクの内部に吊り下げられるステージに、上下方向に開閉する受台部と、該受台部に対して摺接するスライド部とを備えたスライド足場装置であって、前記受台部に対して摺接するスライド部の接触部分を面接触にし、且つ接触部分にテフロンシートを備えたものである。
【００１４】
又、本発明のスライド足場装置では、ステージのフレームに形成された突出部と、スライド部の先端に設けられた突出板とを、ステージに面した側で締結し得るよう構成してもよい。
【００１５】
タンク屋根の周囲を内部より施工及び点検時においてステージから足場を形成する際には、ステージに対し閉じている受台部を下方に開いて水平にし、更に受台部に対してスライド部をタンク側壁方向へ前進させて足場を形成する。
【００１６】
又、足場をステージに収納する際には、受台部に対してスライド部をステージ方向へ後退させ、次に水平に位置している受台部を上方へ閉じてステージに対し垂直に収納する。
【００１７】
ここで、スライド部が受台部に対して前後進する際には、スライド部は受台部に対してテフロンシートを介して面接触し、摺動する。
【００１８】
このように、スライド部を摩擦抵抗の少ないテフロンシートを介して摺動させるので受台部に対してスライド部を容易にスライドさせることができると共に、スライド部を受台部に対して面接触させるので安定性を高めることができ、結果的にスライド部の可動を容易且つ確実にして作業効率を向上させることができる。なお、スライド部を線接触から面接触へ変えたことによる摩擦力の増加は、テフロンシートを用いたことによる大幅な摩擦力の低減によって全く影響を与えることがない。
【００１９】
又、テフロンシートは低温時の耐久性を備えているので、低温タンク内等の厳しい条件においても劣化することがなく、スライド部のスライド操作性を安定的に保つことができる。
【００２０】
更に、ステージのフレームに形成された突出部と、スライド部の先端に設けられた突出板とを、ステージに面した側で締結し得るよう構成すると、ステージより受台部の裏面に手をまわして締結する等の不自由な作業がなくなり、一層作業効率を向上させることができる。
【００２１】
【発明の実施の形態】
以下、本発明の実施の形態を図示例と共に説明する。
【００２２】
図１〜図６は本発明の実施の形態例を示すスライド足場装置であって、図中、図７〜図１０と同一の符号を付した部分は同一物を表わしている。
【００２３】
スライド足場装置のステージ２に形成される足場１８は、ステージ２に対して上下方向へ開閉する受台部１９と、受台部１９に対して前後進するスライド部２０とから構成されている。
【００２４】
受台部１９は、ステージ２のフレーム３に軸支される金属製の外枠２１を備えており、外枠２１の上面にはエキスパンドメタル等の踏板２２を設け、外枠２１の両側位置には、上方に延在する平板の掛止部２３と、ステージ２側より牽引可能なチェーン１１を備えるチェーン取付部２４とを夫々備えている。
【００２５】
受台部１９の前方には上方から覆い被さるようスライド部２０が配置されており、スライド部２０は、下面にテフロンシート２５を取付けた金属製の外枠２６を、受台部１９の外枠２１の両側に上方より面接触するよう備えており、外枠２１の上面にはエキスパンドメタル等の踏板２７を設け、外枠２１の受台部１９側の端部には、受台部１９の掛止部２３に掛止して前方へのスライド部２０のスライドを制限する平板の凸部２８を備え、外枠２１の反受台部側の端部には、受台部１９の外枠２１の先端面２９に掛止して後方へのスライド部２０のスライドを制限する平板の突出板３０を備えており、スライド部２０の突出板３０には、図６に示す如くボルト孔３１を設けている。
【００２６】
一方、ステージ２で垂直方向に延在する所定位置のフレーム３には、歩廊４側に突出する突出部３２を備えており、突出部３２には上方より挿入するボルト３３を備え、ボルト３３の端部にはピン孔３４を備えている。
【００２７】
以下、本発明の実施の形態例の作用を説明する。
【００２８】
タンク屋根１の周囲を内部より施工及び点検する際には、ゴンドラを邪魔にならないよう移動させた後、ステージ２のフレーム３に形成された突出部３２と、スライド部２０の突出板３０とのボルト締結をピン（図示せず）を引き抜いてから解除し、受台部１９をチェーン１１を操作することにより下方に開いて水平にし、更に受台部１９に対してスライド部２０を、スライド部２０の凸部２８が受台部１９の掛止部２３に掛止するまで、人力によりタンク側壁方向へ前進させて足場１８を形成し、タンク屋根１の周囲を内部より施工及び点検する。
【００２９】
又、足場１８をステージ２に収納する際には、受台部１９に対してスライド部２０を、スライド部２０の突出板３０が受台部１９の先端面２９に掛止するまでステージ２方向へ人力により後退させ、次に、チェーン１１を操作することにより水平に位置している受台部１９を上方へ閉じてステージ２に対し垂直に収納する。
【００３０】
ここで、スライド部２０が受台部１９に対して前後進する際には、スライド部２０は受台部１９に対してテフロンシート２５を介して面接触し、摺動する。又、受台部１９をステージ２に収納する際に受台部１９をステージに対して垂直にすると、スライド部２０の突出板３０がステージ２のフレーム３の突出部３２と相対する位置になるので、突出部３２のボルト３３を下方向に下げて突出板３０のボルト孔３１に挿入し、更にボルト３３のピン孔３４にピンを挿入して、スライド部２０の突出板３０とステージ２のフレーム３の突出部３２を締結する。
【００３１】
このように、スライド部２０を摩擦抵抗の少ないテフロンシート２５を介して摺動させるので受台部１９に対してスライド部２０を容易にスライドさせることができると共に、スライド部２０を受台部１９に対して面接触させるので安定性を高めることができ、結果的にスライド部２０の可動を容易且つ確実にして作業効率を向上させることができる。なお、スライド部２０を線接触から面接触へ変えたことによる摩擦力の増加は、テフロンシート２５を用いたことによる大幅な摩擦力の低減によって全く影響を与えることがない。
【００３２】
又、テフロンシート２５は低温時の耐久性を備えているので、低温タンク内等の厳しい条件においても劣化することがなく、スライド部２０のスライド操作性を安定的に保つことができる。
【００３３】
更に、ステージのフレーム３に形成された突出部３２と、スライド部２０の先端に設けられた突出板３０とを、ステージ２に面した側で締結し得るよう構成すると、ステージ２より受台部１９の裏面に手をまわして締結する等の不自由な作業がなくなり、一層作業効率を向上させることができる。
【００３４】
なお、本発明のスライド足場装置は、上述の形態例にのみ限定されるものではなく、テフロンシートの取付け方は外枠の全面もしくは所定の部分に取付けてもよいこと、その他、本発明の要旨を逸脱しない範囲内において種々変更を加え得ることは勿論である。
【００３５】
【発明の効果】
上記した本発明のスライド足場装置によれば、下記の如き種々の優れた効果を奏し得る。
【００３６】
（Ｉ）スライド部を摩擦抵抗の少ないテフロンシートを介して摺動させるので受台部に対してスライド部を容易にスライドさせることができると共に、スライド部を受台部に対して面接触させるので安定性を高めることができ、結果的にスライド部の可動を容易且つ確実にして作業効率を向上させることができる。なお、スライド部を線接触から面接触へ変えたことによる摩擦力の増加は、テフロンシートを用いたことによる大幅な摩擦力の低減によって全く影響を与えることがない。
【００３７】
（ＩＩ）テフロンシートは低温時の耐久性を備えているので、低温タンク内等の厳しい条件においても劣化することがなく、スライド部のスライド操作性を安定的に保つことができる。
【００３８】
（ＩＩＩ）ステージのフレームに形成された突出部と、スライド部の先端に設けられた突出板とを、ステージに面した側で締結し得るよう構成すると、ステージより受台部の裏面に手をまわして締結する等の不自由な作業がなくなり、一層作業効率を向上させることができる。
【図面の簡単な説明】
【図１】本発明のスライド足場装置に用いられる足場の実施の形態の一例を示す平面図である。
【図２】図１のＩＩ−ＩＩ方向矢視図である。
【図３】足場を形成するスライド部の平面図である。
【図４】図３のＩＶ−ＩＶ方向矢視図である。
【図５】図１のＶ−Ｖ方向矢視図である。
【図６】ステージの突出部とスライド部の突出板を締結する状態を示す拡大側面図である。
【図７】従来のスライド足場装置を示した側面図である。
【図８】従来のスライド足場装置において足場を形成するスライド部の平面図である。
【図９】図８のＩＸ−ＩＸ方向矢視図である。
【図１０】受台部に対してスライド部が線接触して摺動する状態を示す縦断面図である。
【符号の説明】
２  ステージ
３  フレーム
１９  受台部
２０  スライド部
２５  テフロンシート
３０  突出板
３２  突出部
【図１】
0004140167.tif 000002
【図２】
0004140167.tif 000003
【図３】
0004140167.tif 000004
【図４】
0004140167.tif 000005
【図５】
0004140167.tif 000006
【図６】
0004140167.tif 000007
【図７】
0004140167.tif 000008
【図８】
0004140167.tif 000009
【図９】
0004140167.tif 000010
【図１０】
0004140167.tif 000011